(57)【要約】【課題】パーシステンス減衰により波形をラスタ表示する際に、希に生じる波形輝度の減衰レートを頻繁に生じる波形輝度の減衰レートより遅くして、観察しやすくする。【解決手段】入力データを複数のデジタル化信号にデジタル化するように構成されたデジタイザ302と；複数のデジタル化信号から複数のラスタ・イメージを発生し、ピクセル輝度カウンタを減分するように構成された減算器310を含むラスタライザ306と；ピクセル輝度カウンタに基づいてラスタ・イメージを操作するように構成されたプロセッサ312と；ラスタ・イメージを表示するように構成された表示器314とを備える。【選択図】図３
2014190981.tif 000002
【特許請求の範囲】
【請求項１】
入力データを複数のデジタル化信号にデジタル化するように構成されたデジタイザと、
上記複数のデジタル化信号から複数のラスタ・イメージを発生し、ピクセル輝度カウンタを減分するように構成された減算器を含むラスタライザと、
上記ピクセル輝度カウンタに基づいて上記ラスタ・イメージを操作するように構成されたプロセッサと、
上記ラスタ・イメージを表示するように構成された表示器とを備えたオシロスコープ。
【請求項２】
上記ピクセル輝度カウンタを増分するように構成された加算器を上記ラスタライザが更に含む請求項１のオシロスコープ。
【請求項３】
上記減算器を用いる第１モードと上記加算器を用いる第２モードとの間で往復して上記ラスタライザを切り替えられるように構成されたスイッチング・モジュールを更に備える請求項２のオシロスコープ。
【請求項４】
波形に対応する入力データを取込み、
第１減衰レートに基づいて複数のピクセル輝度カウンタの各々を減分し、
上記複数のピクセル輝度カウンタに基づいて上記波形を表示する
ことを特徴とするオシロスコープにおける波形表示方法。
【請求項５】
ゼロより大きく２N-1により決まる初期ピクセル輝度値に上記ピクセル輝度カウンタの各々を設定すること（なお、Ｎは上記ピクセル輝度カウンタの各々のビット数を表す）を更に含む請求項４の波形表示方法。
【請求項６】
ゼロ値に到達した上記ピクセル輝度カウンタに応答して、上記ピクセル輝度カウンタの各々を２N-1の初期値にリセットすることを更に含む請求項５の波形表示方法。
【請求項７】
オシロスコープにおいて複数の波形を表示する方法であって、
頻繁に生じる波形である第１波形と上記第１波形と大幅に異なる第２波形に対応する入力データを取込み、
上記第１波形に対応する第１減衰レート又は上記第２波形に対応する第２減衰レートに基づいて複数のピクセル輝度カウンタの各々を減分し、
上記複数のピクセル輝度カウンタの値の少なくとも一部に基づいて上記第１波形及び上記第２波形を表示する波形表示方法。
【請求項８】
ゼロより大きく２N-1により決まる初期ピクセル輝度値に上記ピクセル輝度カウンタを設定すること（なお、Ｎは上記ピクセル輝度カウンタの各々のビット数を表す）を更に含む請求項７の波形表示方法。
【請求項９】
ゼロ値に到達した上記ピクセル輝度カウンタに応答して、上記ピクセル輝度カウンタの各々を２N-1の初期値にリセットすることを更に含む請求項７の波形表示方法。
【請求項１０】
上記第１波形に対応する第１イメージ及び上記第２波形に対応する第２イメージにおいて、最小ピクセル・カウント及び最大ピクセル・カウントに夫々基づいて、上記第１波形に対応する上記第１減衰レート及び上記第２波形に対応する上記第２減衰レートを決定することを更に含む請求項７の波形表示方法。
【発明の詳細な説明】
【技術分野】
【０００１】
本発明は、一般に、オシロスコープ（波形表示装置）の如き試験測定装置に関し、特に、変更したパーシステンス減衰アルゴリズムによりデジタル化波形を表示できるオシロスコープ及び波形表示方法に関する。
【背景技術】
【０００２】
既知のオシロスコープは、これらオシロスコープを用いるアプリケーションの範囲において、完全には充分でない。例えば、既存のオシロスコープでは、充分な輝度で且つ充分な期間にわたって異常波形又は希な波形（希に発生する波形）を表示できないので、波形が消える前に、ユーザがその波形を適切に観察できない。さらに、変更可能なパーシステンス（残像）減衰アルゴリズムによる従来のオシロスコープでは、ユーザが定義する所定期間にわたって異常波形を表示することができない。
【０００３】
これらの問題を扱うのに関連した先行技術の例は、特許文献１、２及び３に記載されている。特許文献１は、ラスタ・スキャン表示器上に表示したデータの輝度を疑似ランダムに減分（漸減）させるパーシステンス装置を開示しており、この装置は、イメージ・メモリからのデータを選択し、部分的に減分する手段と、部分的に減分したデータをイメージ・メモリに書き戻す速度を制御して均一な蛍光体減衰比率を観察者に感じさせる手段とを備えている。特許文献２は、所定時間周期で表示輝度を減少させて画像表示させるデジタル画像表示装置を開示しており、この装置は、入力画像データを入力する複数の入力チャネルと、この入力チャネルから入力されるアナログ入力値をデジタル値に変換するコンバータと、デジタル化された画素データを保持する表示メモリと、表示メモリに保持される画素データを表示装置に表示制御する表示制御装置と、表示メモリに保持する画素データの表示輝度値を所定時間周期で減分する減分器を備えている。特許文献３は、ラスタ・メモリに蓄積された波形を、残像を持たせながら減衰させる残像減衰方法を開示しており、ラスタ・メモリの各記憶位置内に蓄積される輝度関連記憶内容の最大値までの全範囲を頂部領域及び底部領域の少なくとも２つの領域に分割し；第１減衰関数を用いて頂部領域内におけるメモリ記憶位置の輝度関連記憶内容を減衰させると共に、第２減衰関数を用いて底部領域内におけるメモリ記憶位置の輝度関連記憶内容を減衰させている。
【先行技術文献】
【特許文献】
【０００４】
【特許文献１】米国特許第４５０４８２７号明細書
【特許文献２】米国特許第５２８３５９６号明細書
【特許文献３】米国特許第６３３３７３２号明細書
【発明の概要】
【発明が解決しようとする課題】
【０００５】
しかし、上述の先行文献に示された技術の各々には、次の欠点の少なくとも一つがある。すなわち、異常波形（希に生じる波形）の減衰が早すぎる点と、ユーザが異常波形を把握するにはかかる異常波形が識別できる方法で表示されない点である。
【０００６】
既存のオシロスコープがどのように波形を表示するかの一例を図１Ａ及び図１Ｂに示す。（なお、ここでのオシロスコープとは、入力信号をデジタル処理して、その波形をラスタ表示するデジタル・オシロスコープである。）図１Ａにおいて、頻繁に生じる波形１０２と、頻繁に生じる波形とは大幅に異なる波形１０４とは、ラスタ化の非常に早い段階で示される。両方の波形のピクセル１０３及び１０５の夫々におけるピクセル輝度カウンタ１０６及び１０７の値は、最初のラスタ化において低輝度、又は最小輝度として示される。ピクセル１０３及び１０５の「ブロック」は、波形１０２及び１０４の夫々に沿った単一のピクセルを表し、各波形は、実際には３２ビット値でスクリーン上に多くのピクセルを含んでいることに留意されたい。（なお、ピクセル輝度カウンタとは、パーシステンス表示において、入力信号が各ピクセルへのヒット（増分カウント）と減衰（減分カウント）に応じてその輝度を表すカウント値をカウントするものである。図では、これらカウンタの内容を代表的にブロックで示している。）
【０００７】
次に図１Ｂを参照する。最初のラスタ化が生じた後、時間上のある時点にて、頻繁に生じる波形１０２は、ピクセル１０３により描かれる。これらピクセル１０３は、ピクセル輝度カウンタ１０６に蓄積される最大値からも明らかなように（ピクセルへのヒットが頻繁に生じるため）、非常に高い輝度である。これに対して、頻繁に生じる波形１０２と大幅に異なる波形（希に生じる波形）１０４は、（ピクセルへのヒットが希なので減衰されるため）薄暗く照明されている。波形１０２は、ラスタ化されて表示されるのが希なため（即ち、ピクセルへのヒットが少ないため）、そのピクセルの輝度値１０７は最小値である。
【０００８】
上述の従来のオシロスコープでは、頻繁に生じる波形１０２と大幅に異なる波形（希に発生する波形）１０４を一層強い輝度で一層長い期間にわたって現れるようにすることができない。実際にも、図１Ｂの「希な」波形（希に生じる波形）１０４は、波形１０２に比較して薄暗く現れ、減衰レートも早い。この早い減衰レートにより、ユーザは、「希な」波形１０４を長時間にわたって観察することができない。
【０００９】
当業者に理解できる如く、既存のオシロスコープの設計を改善し進歩させたオシロスコープが必要とされている。本発明は、現場で必要とされる新規で有用なオシロスコープを提供するものであり、その例を以下に説明する。
【課題を解決するための手段】
【００１０】
本発明によって開示する技術の実施例は、波形を表示するオシロスコープであり；入力データを複数のデジタル化信号にデジタル化するデジタイザと；デジタル化信号から複数のラスタ・イメージを発生するように構成されたラスタライザと；ピクセル輝度カウンタを減分するように構成されラスタライザに含まれた減算器と；ピクセル輝度カウンタに基づいてラスタ・イメージを操作するように構成されたプロセッサと；ラスタ・イメージを表示するように構成された表示器とを備えている。
【００１１】
本発明によって開示する技術の他の実施例は、オシロスコープに波形を表示する方法である。この方法は、波形に対応する入力データを取り込み；第１減衰レートに基づいて複数のピクセル輝度の各々を減分し；複数のピクセル輝度カウンタに基づいて波形を表示する。
【００１２】
本発明によって開示する技術の更に他の実施例は、オシロスコープに多数の波形表示する方法である。この方法は、頻繁に発生する波形である第１波形とこの第１波形と大幅に異なる第２波形とに対応する入力データを取込み；第１波形に対応する第１減衰レート又は第２波形に対応する第２減衰レートに基づいて複数のピクセル輝度カウンタの各々を減分し；複数のピクセル輝度カウンタの値の少なくとも一部に基づいて第１及び第２波形を表示する。
【００１３】
本発明の概念を更に説明すると次のようになる。
（１）入力データを複数のデジタル化信号にデジタル化するように構成されたデジタイザと；上記複数のデジタル化信号から複数のラスタ・イメージを発生し、ピクセル輝度カウンタを減分するように構成された減算器を含むラスタライザと；上記ピクセル輝度カウンタに基づいて上記ラスタ・イメージを操作するように構成されたプロセッサと；上記ラスタ・イメージを表示するように構成された表示器とを備えたオシロスコープ。
（２）上記デジタル化信号を蓄積するように構成されたメモリ・モジュールを更に備える概念１のオシロスコープ。
（３）上記ピクセル輝度カウンタを増分するように構成された加算器を上記ラスタライザが更に含む概念１のオシロスコープ。
（４）上記減算器を用いる第１モードと上記加算器を用いる第２モードとの間で往復して上記ラスタライザを切り替えられるように構成されたスイッチング・モジュールを更に備える概念３のオシロスコープ。
（５）上記スイッチング・モジュールがレジスタを含む概念４のオシロスコープ。
（６）上記スイッチング・モジュールが上記ラスタライザの内部に存在する概念４のオシロスコープ。
【００１４】
（７）波形に対応する入力データを取込み；第１減衰レートに基づいて複数のピクセル輝度カウンタの各々を減分し；上記複数のピクセル輝度カウンタに基づいて上記波形を表示することを特徴とするオシロスコープにおける波形表示方法。
（８）ゼロより大きく２N-1により決まる初期ピクセル輝度値に上記ピクセル輝度カウンタの各々を設定すること（なお、Ｎは上記ピクセル輝度カウンタの各々のビット数を表す）を更に含む概念７の波形表示方法。
（９）上記Ｎが値２６である概念８の波形表示方法。
（１０）ゼロ値に到達した上記ピクセル輝度カウンタに応答して、上記ピクセル輝度カウンタの各々を２N-1の初期値にリセットすることを更に含む概念８の波形表示方法。
（１１）上記波形の少なくとも１つのイメージにおける最小ピクセル・カウント及び最大ピクセル・カウントに基づいて上記第１減衰レートを決定することを更に含む概念７の波形表示方法。
（１２）上記波形は、頻繁に生じる波形と大幅に異なる概念７の波形表示方法。
（１３）上記波形は、頻繁に生じる波形である概念７の波形表示方法。
（１４）上記オシロスコープがデジタル・フォスファー・オシロスコープである概念７の波形表示方法。（なお、デジタル・フォスファー・オシロスコープとは、従来の陰極線管の蛍光体（フォスファー）に波形を表示しているようにデジタル的に処理するデジタル・オシロスコープのことである。）
（１５）上記ピクセル輝度カウンタの各々を減分することは、第２減衰レート又は第３減衰レートに基づく概念７の波形表示方法。
【００１５】
（１６）オシロスコープにおいて複数の波形を表示する方法であって；頻繁に生じる波形である第１波形と上記第１波形と大幅に異なる第２波形に対応する入力データを取込み；上記第１波形に対応する第１減衰レート又は上記第２波形に対応する第２減衰レートに基づいて複数のピクセル輝度カウンタの各々を減分し；上記複数のピクセル輝度カウンタの値の少なくとも一部に基づいて上記第１波形及び上記第２波形を表示する波形表示方法。
（１７）ゼロより大きく２N-1により決まる初期ピクセル輝度値に上記ピクセル輝度カウンタを設定すること（なお、Ｎは上記ピクセル輝度カウンタの各々のビット数を表す）を更に含む概念１６の波形表示方法。
（１８）ゼロ値に到達した上記ピクセル輝度カウンタに応答して、上記ピクセル輝度カウンタの各々を２N-1の初期値にリセットすることを更に含む概念１６の波形表示方法。
（１９）上記Ｎが値２６である概念１８の波形表示方法。
（２０）上記第１波形に対応する第１イメージ及び上記第２波形に対応する第２イメージにおいて、最小ピクセル・カウント及び最大ピクセル・カウントに夫々基づいて、上記第１波形に対応する上記第１減衰レート及び上記第２波形に対応する上記第２減衰レートを決定することを更に含む概念１６の波形表示方法。
【図面の簡単な説明】
【００１６】
【図１Ａ】同じピクセル輝度の従来オシロスコープの表示波形を示す図である。
【図１Ｂ】一方の波形が他方の波形よりも明るいピクセルを有する従来オシロスコープの表示波形を示す図である。
【図２Ａ】本発明により、オシロスコープに表示され、同じピクセル輝度の複数の波形の第１例を示す図である。
【図２Ｂ】本発明により、オシロスコープに表示され、異なるピクセル輝度の複数の波形を示す図である。
【図３】本発明により、図２Ａ及び図２Ｂに示す波形を表示するオシロスコープのブロック図である。
【図４】図３に示すオシロスコープのラスタライザの第１実施例のブロック図である。
【図５】図３に示すオシロスコープのラスタライザの第２実施例のブロック図である。
【図６】本発明の実施例により複数の波形を表示する方法を説明する流れ図である。
【発明を実施するための形態】
【００１７】
本発明によるオシロスコープ及び波形表示方法は、添付図を参照した以下の詳細説明から理解できよう。この詳細説明及び添付図は、ここで述べる発明の種々の例を説明するものである。開示する例は、本発明の要旨を逸脱することなく変形、変更及び修正できることが当業者には理解できよう。異なるアプリケーション及び設計を考慮する際に、多くの変形が予想できるが、説明を簡単にするために、予想できる変形の各々及び全てについて、以下の詳細説明では個別に説明しない。
【００１８】
以下の詳細説明を通じて、種々のオシロスコープの例を示す。これら例の関連した特徴は、異なる例において、同一か、類似か、又は非類似である。説明を簡略にするため、関連した特徴は、各例において重複して説明しない。代わりに、関連した特徴名を用いるが、この関連した特徴名の特徴は、その前に説明した例における関連特徴と類似していることを指摘しておく。ある例に特定される特徴は、その例において説明する。特定の特徴は、いかなる特定の図又は例における関連した特徴の記述と同じあったり又は類似したりする必要のないことが理解できよう。
【００１９】
図３を参照して、本発明によるオシロスコープ３００の第１例を説明する。オシロスコープ３００は、デジタイザ３０２と、メモリ３０４と、ラスタライザ３０６と、プロセッサ３１２と、表示器３１４とを含んでいる。ラスタライザ３０６は、減算器ユニット３１０を更に含んでいる。オシロスコープ３００は、パーシステンス減衰アルゴリズムを変更することにより増加した明るさ及びパーシステンスによって、頻繁に生じない波形を表示する機能がある。さらに、オシロスコープ３００を用いて、ユーザの選択により、多数の波形の減衰レートを変更できる。
【００２０】
引き続き図３を参照する。デジタイザ３０２は、入力データを取込み、そのデータをデジタル表現に変換する。例えば、デジタイザ３０２は、実時間サンプリング・モードにて動作し、できるだけ頻繁にサンプリングを行う逐次比較型アナログ・デジタル変換器（ＡＤＣ）を含んでもよい。この代わりに、デジタイザ３０２は、等価時間サンプリング・モードで動作し、トリガ・イベント後の所定期間にてサンプリングを行うダイレクト変換ＡＤＣを含んでもよい。
【００２１】
図３において、メモリ３０４は、デジタイザ３０２及びラスタライザ３０６の間に配置されているが、かかるメモリ蓄積機能は、なくてもよいので、メモリ３０４のブロックを点線で示している。例えば、デジタイザ３０２は、メモリ３０４を経由することなく、デジタル化信号をラスタライザ３０６に直接的に伝送することもできる。
【００２２】
プロセッサ３１２は、ラスタライザ３０６と直接的に又は間接的に通信を行える。例えば、データ・バス（図示せず）をプロセッサ３１２及びラスタライザ３０６にリンクできる。さらに、プロセッサ３１２は、共通メモリ（図示せず）を介してラスタライザ３０６と通信してもよい。しかし、かかる共通メモリは、メモリ３０４自体、又はメモリ３０４から独立した別のメモリであってもよい。
【００２３】
一般的な動作期間中、ラスタライザ３０６にてデジタル化信号がラスタ・イメージ（図示せず）にラスタ化され、このラスタ・イメージがピクセルの２次元配列（ｍ×ｎ）として表示器３１４に表示される。ラスタ・イメージ（図示せず）は、多数のピクセル（図示せず）で形成される。各ピクセルは、行及び列のｍ×ｎ配列にて配置できる。例えば、ラスタライザ・プレーン（図示せず）は、典型的には５１２×１０２４バイトである。なお、各ピクセルは、全部で３２ビットであり、その内、６ビットがピクセル情報であり、２６ビットがカウンタ（ピクセル輝度値用）である。
【００２４】
ラスタライザ３０６は、減算器３１０を更に含んでいる。この減算器３１０を用いて、「希な」波形（希に生じる波形）に対して、ラスタ・プレーンにおける各ピクセルの２６ビット・カウンタを減分する。一般的に言えば、２６ビット・ピクセル輝度カウンタは、２N-1のカウントで開始し、ピクセルにヒットする頻度に基づいて初期値から漸減的に減算する（ここでは、Ｎ＝２６）。例えば、「希な」波形は、ピクセルのヒット回数が一層多く頻繁に生じる波形よりも、通常、ピクセルのヒットが一層少ない。しかし、「希な」イベント、即ち、頻繁に生じる波形と大幅に異なる波形は、頻繁に生じる波形よりも一層大きなピクセル輝度値を持つようにしているので、これらのピクセルの明るさが増加し、「希な」波形を表示器３１４上に長時間にわたって残留させることができる。これは、大きな数２N-1から減分するのに余分な時間がかかるためである。
【００２５】
反対に、頻繁に生じる波形は、一層低いピクセル輝度値を有しており、それらの２N-1カウンタから一層早いレートで減衰される（入力信号のピクセルへのヒットがない場合）。よって、発生頻度を無視すれば、「希な」波形と比較した場合、頻繁に生じる波形が薄暗くなる。
【００２６】
さらに、ラスタライザ３０６は、異なる減衰レートを表示波形に適用するために、パーシステンス減衰アルゴリズムを変更できる。ラスタライザ３０６は、全体のラスタライザ・イメージにおける最小のピクセル・カウント（ピクセル輝度カウンタの値であるピクセル輝度カウント）及び最大のピクセル・カウントを記録する。次に、これらピクセル輝度カウントがデジタル化表示信号に変換されると、これらカウントをコピーし減衰させるので、表示輝度の進行中の変換と並列にラスタ化処理を持続できる。
【００２７】
ラスタライザ３０６は、減衰処理を更に行う。この減衰処理は、最小カウント（非ゼロ）から最大カウントまでのレンジを用い、このレンジを１組の連続的なサブレンジに分割し、異なる減衰アルゴリズムを各サブレンジ内のピクセル・カウントに適用する。よって、ラスタライザ３０６は、異なるパーシステンス減衰アルゴリズムを大きいピクセル輝度カウント及び小さいピクセル輝度カウントに適用できる。
【００２８】
図２Ａ及び図２Ｂを参照する。これら図は、デジタイザ３０２でデジタル化され、ラスタライザ３０６でラスタ化され、表示器３１４に表示された２つのデータ入力を示す。図２Ａは、特に、頻繁に生じる波形２０２と、この波形２０２と大幅に異なる波形２０４である「希な」波形（希に生じる波形）とが最大輝度であることを示す。ここで、共に最大輝度である理由は、これらのピクセル輝度カウンタ２０６及び２０７が最初の最大ピクセル輝度値を夫々有しているためである。よって、波形２０２及び２０４の全てのピクセルは、この初期段階において最大の明るさである。上述の如く、ピクセル２０３及び２０５が代表的に示されているが、これらは、波形２０２及び２０４の各々における数千のピクセルの１つであることが理解できよう。
【００２９】
図２Ｂは、いくらか時間の経過した後の図２Ａの２つの波形の状態を示す（なお、ここでは、その後、新たな取込みをしないものとする）。頻繁に生じる波形２０２は、そのピクセル２０３の各々に対して最小ピクセル輝度値（ピクセル輝度カウンタ２０６のカウント値）を有する。しかし、「希な」波形２０４は、そのピクセル２０５の各々に対して最大ピクセル輝度値（ピクセル輝度カウンタ２０７のカウント値）を有し、表示器３１４上に明るい波形を示す。さらに、パーシステンス減衰アルゴリズムを変更して、波形２０４の減衰レートを波形２０２よりも更に長くすると、波形２０４が更に長い期間にわたって表示される。
【００３０】
次に、図４を参照して、本発明の第２例のオシロスコープ４００を説明する。オシロスコープ４００は、オシロスコープ３００と多くの類似又は同じ特徴を有する。よって、説明を簡単にするため、オシロスコープ４００の各特徴は、重複しては説明しない。むしろ、オシロスコープ４００とオシロスコープ３００との大きな差異を詳細に説明する。これら２つのオシロスコープに実質的に類似する機能については、上述の説明を参照されたい。
【００３１】
図４にて判る如く、オシロスコープ４００は、デジタイザ４０２（図示せず）と、メモリ４０４（図示せず）と、ラスタライザ４０６と、プロセッサ４１２（図示せず）と、表示器４１４（図示せず）とを含んでいる（なお、これらの接続関係は図３と同様である）。この例において、オシロスコープ４００は、加算器４０８とスイッチング・モジュール４１２とを更に含んでおり、これらは、ラスタライザ４０６の内部に配置されている。一方、オシロスコープ３００のラスタライザ３０６は、加算器及びスイッチング・モジュールのいずれも含んでいない。
【００３２】
加算器４０８は、従来のオシロスコープの加算器と同様に動作するよう機能する。加算器４０８のピクセル輝度カウンタは、初期値がゼロであり、ピクセル位置内に入る各取込みに対して所定値だけ増分する。スイッチング・モジュール４１２は、オシロスコープ４００が加算器４０８又は減算器４１０の何れかを用いることができるようにする。
【００３３】
図５を参照して、本発明の第３例のオシロスコープ５００を説明する。オシロスコープ５００は、オシロスコープ４００と類似又は同じ多くの特徴を有する。よって、説明を簡単にするために、オシロスコープの各特徴は、重複しては説明しない。むしろ、オシロスコープ５００とオシロスコープ４００との大きな差異を詳細に説明する。これら２つのオシロスコープに実質的に類似する機能については、上述の説明を参照されたい。
【００３４】
図５から判る如く、オシロスコープ５００は、デジタイザ５０２（図示せず）と、メモリ５０４（図示せず）と、ラスタライザ５０６と、プロセッサ５１２（図示せず）と、表示器５１４（図示せず）とを含んでいる（なお、これらの接続関係は図３と同様である）。この例において、オシロスコープ５００は、レジスタ５１３を更に含んでいるが、オシロスコープ４００のラスタライザ４０６は、この要素（レジスタ）を含んでいない。レジスタ５１３は、ラスタ化イメージのピクセル輝度値を蓄積するように機能する。
【００３５】
図６を参照して、本発明による波形表示方法６００を説明する。この方法６００は、波形に対応する入力データを取り込むステップ６０２と、各ピクセル輝度カウンタを初期値に設定するステップ６０４と、減衰レートに基づいてピクセル輝度各を減分するステップ６０６と、ピクセル輝度カウンタに基づいて波形表示するステップ６０８とを含んでいる。
【００３６】
引き続き図６を参照する。ステップ６０２では、ラスタライザが後で用いるために、デジタル化される入力信号（入力データ）を取り込む。さらに、ラスタライザ又はプロセッサが後で操作するために、デジタル化入力をメモリに蓄積する。
【００３７】
次にステップ６０４にて、各ピクセル輝度カウンタを初期値２N-1に設定する。波形に付随するピクセル情報を取り込んだ際に、初期値が設定される。この例において、上述の如く、頻繁に生じる波形２０２及び「希な」波形２０４（図２Ａを参照のこと）用の初期ピクセル輝度値は、最大値である。しかし、短い時間の後、頻繁に生じる波形２０２のピクセル輝度値が最小値になり、「希な」波形２０４が最大値となる（図２Ｂとその説明を参照のこと）。
【００３８】
ステップ６０６では、ピクセル輝度カウンタを減分する。「希な」波形２０４（図２Ｂを参照のこと）のピクセル輝度カウンタは、２N-1である初期の最大値を有する。この波形で取り込まれた後続のピクセルの各々に対して、頻繁に生じる波形２０２よりも非常に遅い減衰レートで２６ビット・カウンタを減分する。この遅い減衰レートにより、「希な」波形２０４は、頻繁に生じる波形２０２よりも長い時間にわたって表示が残る。カウンタがゼロにまで減分されて下がると、波形の次のピクセルが取り込まれて減分処理が再開したときに、カウンタが２N-1値の最大値に戻るように自動的にリセットされる。
【００３９】
頻繁に生じる波形２０２に関しては、各ピクセルの取込みの後、そのピクセル用の２６ビットのピクセル輝度カウンタも減分されるが、その減衰レートは非常に大きい。すなわち、これら波形２０２は、非常に早く減衰して、これらのピクセルは、「希な」波形２０４用のピクセルよりも非常に目立たなくなる（その後の取込みがない場合）。
【００４０】
加えて又はその代わりに、頻繁に生じる波形２０２及び「希な」波形２０４をいくつかの異なる減衰レートに設定してもよい。例えば、上述の如く、「希な」波形の減衰レートは遅いので、ビューから減衰する前に、長い時間にわたってこれら波形を表示する。対照的に、頻繁に生じる波形２０２用の減衰レートは、典型的には、「希な」波形用の減衰レートよりも非常に早いので、目標は、頻繁に生じる波形２０２を非常に迅速に減衰させることによって、「希な」波形２０４が一層目立つようにすることである。
【００４１】
図６を更に参照する。ステップ６０８にて、頻繁に生じる波形２０２及び「希な」波形２０４を表示器上に表示する。一般的には、ラスタライザ３０６がイメージをラスタ化し、その描画が準備されると、表示が行われる。
【００４２】
上述は、独自の有用性を伴った多くの独特な発明を網羅している。これら発明の各々を独自の形式で開示したが、上述し図示した特定の実施例は、限定的な要旨であるとみなされるものではなく、多くの変更が可能である。本発明の要旨は、上述し、かかる発明に関連した当業者にとって特有である種々の要素、特徴、機能及び／又は特性の新規で且つ自明でない結合及び副結合の全てを含んでいる。本明細書及び請求項にて「１つの」要素、「第１要素」又はかかる用語と等価な用語を用いているが、本明細書及び請求項では、１つ以上のかかる要素を含んでおり、かかる要素の２つ以上を必要としなかったり除外したりするものではないことが理解できよう。
【００４３】
新規で且つ自明でないと信じて開示した発明の結合及び副結合を本発明とする権利が本出願人にはある。特徴、機能、要素及び／又は特性の他の結合及び副結合で具体化した発明は、請求項の変更によるか、又は本願及び関連出願における新たな請求項によって主張できる。このような変更した請求項又は新たな請求項は、同じ発明又は異なる発明であるかに応じて、また、これらが元の請求項の範囲に対して異なるか、広いか、狭いか又は等しいかに応じて、本発明の要旨内であるとみなせる。
【符号の説明】
【００４４】
１０２  頻繁に生じる波形
１０３  ピクセル
１０４  「希な」波形
１０５  ピクセル
１０６、１０７  ピクセル輝度カウンタ
２０２  頻繁に生じる波形
２０３  ピクセル
２０４  「希な」波形
２０５  ピクセル
２０６、２０７  ピクセル輝度カウンタ
３００  オシロスコープ
３０２  デジタイザ
３０４  メモリ
３０６  ラスタライザ
３１０  減算器
３１２  プロセッサ
３１４  表示器
４００  オシロスコープ
４０６  ラスタライザ
４０８  加算器
４１０  減算器
４１２  スイッチング・モジュール
５００  オシロスコープ
５０６  ラスタライザ
５１２  スイッチング・モジュール
５１３  レジスタ
【図１Ａ】
2014190981.tif 000003
【図１Ｂ】
2014190981.tif 000004
【図２Ａ】
2014190981.tif 000005
【図２Ｂ】
2014190981.tif 000006
【図３】
2014190981.tif 000007
【図４】
2014190981.tif 000008
【図５】
2014190981.tif 000009
【図６】
2014190981.tif 000010